(57)【要約】【課題】ミキサ車の作業状態を正確に判定する。【解決手段】作業状態判定システム１００は、ミキサ車１０のミキサドラム２の回転状態を検出する回転センサ１２と、ミキサ車１０のミキサドラム２を回転駆動させる駆動力を検出する圧力センサ１４と、回転センサ１２及び圧力センサ１４の検出結果に基づいて、ミキサ車１０の作業状態を判定する判定部２１と、を備える。判定部２１は、ミキサ車１０が停車している状態において、所定の検出期間内における回転センサ１２の検出値及び圧力センサ１４の検出値に基づいて、ミキサドラム２内に生コンが投入されミキサ車１０が配送状態になったか否かを判定する。【選択図】図２
2019155983.tif 000002
【特許請求の範囲】
【請求項１】
車両上に回転自在に搭載されたドラムに積載された積載物を運搬するミキサ車の作業状態を判定する作業状態判定システムであって、
前記ドラムの回転状態を検出するドラム回転検出器と、
前記ドラムを回転駆動させる駆動力を検出する駆動力検出器と、
前記ドラム回転検出器及び前記駆動力検出器の検出結果に基づいて、前記ミキサ車の作業状態を判定する判定部と、を備え、
前記判定部は、前記ミキサ車が停車している状態において、所定の検出期間内における前記ドラム回転検出器の検出値及び前記駆動力検出器の検出値に基づいて、前記ドラム内に積載物が投入され前記ミキサ車が配送状態になったか否かを判定することを特徴とするミキサ車の作業状態判定システム。
【請求項２】
前記判定部は、所定の第１検出期間内における前記駆動力検出器の検出値の変動幅が予め設定された閾値以上であり、且つ、前記第１検出期間内における前記ドラム回転検出器の検出値の変動幅が予め設定された閾値以下であることが検出されたとき、前記ドラム内に積載物が投入され前記ミキサ車が前記配送状態になったと判定することを特徴とする請求項１に記載のミキサ車の作業状態判定システム。
【請求項３】
前記ミキサ車の車両位置を検出する車両位置検出器をさらに備え、
前記判定部は、
前記ドラム回転検出器により検出される前記ドラムの回転方向が正回転から逆回転に変化したとき、前記ミキサ車が打設状態にあると判定し、
前記車両位置検出器により検出される前記ミキサ車の検出位置が、前記打設状態と判定したときに前記車両位置検出器により検出された検出位置から、予め設定された所定の距離以上離れた場合に前記ミキサ車が帰路状態にあると判定することを特徴とする請求項１または２に記載のミキサ車の作業状態判定システム。
【請求項４】
前記判定部は、前記ミキサ車が前記帰路状態にあると判定した後、前記車両位置検出器により検出される前記ミキサ車の検出位置が、前記配送状態になったと判定したときに前記車両位置検出器により検出された検出位置に対して、予め設定された所定の距離以内となった場合に待機状態にあると判定することを特徴とする請求項３に記載のミキサ車の作業状態判定システム。
【請求項５】
前記ミキサ車の車両位置を検出する車両位置検出器をさらに備え、
前記判定部は、前記配送状態になったと判定したときに前記車両位置検出器により検出された検出位置から前記ミキサ車に前記積載物を投入した投入施設を特定し、前記投入施設にのみ前記ミキサ車の作業状態を送信することを特徴とする請求項１または２に記載のミキサ車の作業状態判定システム。
【請求項６】
前記ミキサ車は、前記ドラムを回転駆動させる液圧モータを有し、
前記駆動力検出器は、前記液圧モータに供給される作動流体の圧力を検出する圧力検出器であることを特徴とする請求項１から５の何れか１つに記載のミキサ車の作業状態判定システム。
【請求項７】
車両上に回転自在に搭載されたドラムに積載された積載物を運搬するミキサ車の作業状態を判定する作業状態判定システムであって、
前記ドラムの回転状態を検出するドラム回転検出器と、
前記ドラムを回転駆動させる駆動力を検出する駆動力検出器と、
前記ドラム回転検出器及び前記駆動力検出器の検出結果に基づいて、前記ミキサ車の作業状態を判定する判定部と、を備え、
前記判定部は、前記ミキサ車が停車している状態において、所定の第２検出期間内における前記ドラム回転検出器の検出値が予め設定された閾値以下であり、且つ、前記第２検出期間内における前記駆動力検出器の検出値が予め設定された閾値以下であることが検出された後、所定の第３検出期間内における前記ドラム回転検出器の検出値が予め設定された閾値以下であり、且つ、前記第３検出期間内における前記駆動力検出器の検出値が予め設定された閾値以上であることが検出されたとき、前記ドラム内に積載物が投入され前記ミキサ車が配送状態になったと判定することを特徴とするミキサ車の作業状態判定システム。
【発明の詳細な説明】
【技術分野】
【０００１】
本発明は、ミキサ車の作業状態を判定する作業状態判定システムに関するものである。
【背景技術】
【０００２】
特許文献１には、ドラムの回転を検出する回転センサと、ミキサ車の荷重を検出する荷重センサと、運転手に操作される状態スイッチと、を備えたミキサ車の作業状態判定システムが開示されている。この作業状態判定システムは、回転センサ、荷重センサ及び状態スイッチの出力値に基づいて、ミキサ車の作業状態を判定している。
【先行技術文献】
【特許文献】
【０００３】
【特許文献１】特開２００３−３４６２９５号公報
【発明の概要】
【発明が解決しようとする課題】
【０００４】
しかしながら、特許文献１に記載のミキサ車の作業状態判定システムでは、ドラム内に生コンクリート等の積載物が積載されたか否かが、ドラムの荷重を検出する荷重センサの検出値に基づいて判定される。一般的に荷重センサは振動の影響を受けやすいため、特許文献１に記載の荷重センサのように車両に搭載されているものにおいては、車両の振動等によって荷重センサの検出値が変動するおそれがある。このように荷重センサの検出値が変動すると、ドラム内に積載物が積載されたか否かを正確に判定することが困難となるため、結果としてミキサ車の作業状態を正確に判定することができなくなるおそれがある。
【０００５】
本発明は、上記の問題点に鑑みてなされたものであり、ミキサ車の作業状態を正確に判定することを目的とする。
【課題を解決するための手段】
【０００６】
第１の発明は、ミキサ車の作業状態を判定する作業状態判定システムが、ドラムの回転状態を検出するドラム回転検出器と、ドラムを回転駆動させる駆動力を検出する駆動力検出器と、ドラム回転検出器及び駆動力検出器の検出結果に基づいて、ミキサ車の作業状態を判定する判定部と、を備え、判定部は、ミキサ車が停車している状態において、所定の検出期間内におけるドラム回転検出器の検出値及び駆動力検出器の検出値に基づいて、ドラム内に積載物が投入されミキサ車が配送状態になったか否かを判定することを特徴とする。
【０００７】
第１の発明では、ミキサ車が配送状態になったか否かの判定が、所定の検出期間内におけるドラム回転検出器の検出値及び駆動力検出器の検出値に基づいて行われる。このように、車両の振動等の影響を受けにくい駆動力が判定に用いられるため、ミキサ車が配送状態になったか否かを正確に判定することができる。
【０００８】
第２の発明は、判定部が、所定の第１検出期間内における駆動力検出器の検出値の変動幅が予め設定された閾値以上であり、且つ、第１検出期間内におけるドラム回転検出器の検出値の変動幅が予め設定された閾値以下であることが検出されたとき、ドラム内に積載物が投入されミキサ車が配送状態になったと判定することを特徴とする。
【０００９】
第２の発明では、ミキサ車が配送状態になったか否かの判定が、ドラムの回転数の変動が小さいときのみ行われる。このように、ドラムの回転数が変動し駆動力が変動する可能性がある場合には、判定が行われない。このため、ドラムの回転数が変動した際にミキサ車が配送状態になったと誤判定されることが防止される。この結果、ミキサ車が配送状態になったか否かを正確に判定することができる。
【００１０】
第３の発明は、作業状態判定システムが、ミキサ車の車両位置を検出する車両位置検出器をさらに備え、判定部は、ドラム回転検出器により検出されるドラムの回転方向が正回転から逆回転に変化したとき、ミキサ車が、打設状態にあると判定し、車両位置検出器により検出されるミキサ車の検出位置が、打設状態と判定したときに車両位置検出器により検出された検出位置から、予め設定された所定の距離以上離れた場合にミキサ車が帰路状態にあると判定することを特徴とする。
【００１１】
第３の発明では、ドラムの回転方向に基づいて、ミキサ車が打設状態にあるか否かが判定され、その後、車両の位置の変化に基づいて、ミキサ車が帰路状態にあるか否かが判定される。このため、ミキサ車が打設状態または帰路状態にあるかを正確に判定することができる。
【００１２】
第４の発明は、判定部が、ミキサ車が帰路状態にあると判定した後、車両位置検出器により検出されるミキサ車の検出位置が、配送状態になったと判定したときに車両位置検出器により検出された検出位置に対して、予め設定された所定の距離以内となった場合に待機状態にあると判定することを特徴とする。
【００１３】
第４の発明では、車両の位置の変化に基づいて、ミキサ車が待機状態にあるか否かが判定される。このため、ミキサ車が待機状態にあるか否かを正確に判定することができる。
【００１４】
第５の発明は、作業状態判定システムが、ミキサ車の車両位置を検出する車両位置検出器をさらに備え、判定部は、配送状態になったと判定したときに車両位置検出器により検出された検出位置からミキサ車に積載物を投入した投入施設を特定し、投入施設にのみミキサ車の作業状態を送信することを特徴とする。
【００１５】
第５の発明では、ミキサ車の作業状態が、ミキサ車に積載物を投入した投入施設にのみ送信される。このため、ミキサ車が、一時的に投入施設に属して作業を行うような車両であっても、投入施設では、当該車両の作業状態を、運転手からの報告を受けずとも管理することができる。
【００１６】
第６の発明は、ミキサ車が、ドラムを回転駆動させる液圧モータを有し、駆動力検出器が、液圧モータに供給される作動流体の圧力を検出する圧力検出器であることを特徴とする。
【００１７】
第６の発明では、ドラムを回転駆動させる駆動力を検出する検出器として、液圧モータに供給される作動流体の圧力を検出する圧力検出器が用いられる。このように、液圧モータに供給される作動流体の圧力を検出する圧力検出器を設けることによってドラムを回転駆動させる駆動力に相当する値を容易に検出することができる。
【００１８】
第７の発明は、ミキサ車の作業状態を判定する作業状態判定システムが、ドラムの回転状態を検出するドラム回転検出器と、ドラムを回転駆動させる駆動力を検出する駆動力検出器と、ドラム回転検出器及び駆動力検出器の検出結果に基づいて、ミキサ車の作業状態を判定する判定部と、を備え、判定部は、ミキサ車が停車している状態において、所定の第２検出期間内におけるドラム回転検出器の検出値が予め設定された閾値以下であり、且つ、第２検出期間内における駆動力検出器の検出値が予め設定された閾値以下であることが検出された後、所定の第３検出期間内におけるドラム回転検出器の検出値が予め設定された閾値以下であり、且つ、第３検出期間内における駆動力検出器の検出値が予め設定された閾値以上であることが検出されたとき、ドラム内に積載物が投入されミキサ車が配送状態になったと判定することを特徴とする。
【００１９】
第７の発明では、ミキサ車が配送状態になったか否かの判定が、ドラム内に積載物が投入される前後において生じる駆動力の変化に基づいて行われる。このため、ドラム内に積載物を投入する際にドラムの回転数が変動したとしても、ミキサ車が配送状態になったか否かを正確に判定することができる。
【発明の効果】
【００２０】
本発明によれば、ミキサ車の作業状態を正確に判定することができる。
【図面の簡単な説明】
【００２１】
【図１】本発明の実施形態に係る作業状態判定システムにより作業状態が判定されるミキサ車の側面図である。
【図２】本発明の実施形態に係る作業状態判定システムの概略構成を説明するための構成図である。
【図３】本発明の実施形態に係る作業状態判定システムのブロック図である。
【図４】本発明の実施形態に係る作業状態判定システムによって実行される制御手順を示すフローチャートである。
【図５】本発明の実施形態に係る作業状態判定システムにおいて、ミキサ車への積載物の投入を判定する方法について説明するためのグラフである。
【図６】ミキサ車への積載物の投入の有無を判定する手順を示すフローチャートである。
【図７】本発明の実施形態に係る作業状態判定システムにおいて、ミキサ車への積載物の投入を判定する別の方法について説明するためのグラフである。
【発明を実施するための形態】
【００２２】
以下、図面を参照して、本発明の実施形態に係るミキサ車の作業状態判定システムについて説明する。
【００２３】
まず、図１を参照して、作業状態判定システム１００により作業状態が判定されるミキサ車１０の構成について説明する。
【００２４】
ミキサ車１０は、ミキサドラム２内に投入されたモルタルやレディミクストコンクリート等のいわゆる生コンクリート（以下、「生コン」と称する。）を運搬する車両である。以下の説明では、ミキサ車１０が積載物として生コンを積載する場合について説明する。
【００２５】
図１に示すように、ミキサ車１０は、車両の前後方向に延びる架台１と、架台１上に回転自在に搭載されるミキサドラム２と、ミキサドラム２を回転駆動するドラム駆動装置７と、外部から投入される生コンをミキサドラム２内へと導くホッパー４と、ミキサドラム２から排出される生コンを所定位置に誘導するシュート５と、を備える。
【００２６】
ミキサドラム２は、回転軸Ｃ１を中心として回転する両端部の外径よりも中央部の外径が大きい樽状容器であり、車両後方側の後端部には生コンの投入と排出とが行われる開口部２ａが設けられ、車両前方側の前端部には回転軸Ｃ１に沿って外部に向かって延在する駆動軸９が設けられる。ミキサドラム２は、開口部２ａが設けられる後端部側が前端部側よりも上方に持ち上げられた状態で架台１に支持される。
【００２７】
ミキサドラム２の駆動軸９は、ドラム駆動装置７内に設けられる液圧モータとしての油圧モータ１３にギアボックス（図示省略）を介して連結される。このため、ミキサドラム２は、油圧モータ１３によって正回転方向又は逆回転方向に回転駆動される。
【００２８】
油圧モータ１３には、油圧モータ１３に供給される作動油の圧力を検出する駆動力検出器としての圧力センサ１４が設けられる。油圧モータ１３に供給される作動油の圧力は、ミキサドラム２を回転駆動させるために要する駆動トルクの大きさによって変化することから、圧力センサ１４により検出される検出値からミキサドラム２の駆動力を推定することができる。なお、圧力センサ１４は、油圧モータ１３に供給される作動油の圧力、すなわち、図示しない油圧ポンプから図示しない配管を通じて油圧モータ１３に供給される作動油の圧力を検出することができれば、何処に設けられていてもよい。
【００２９】
また、駆動軸９の外周側には、駆動軸９の回転方向及び回転数を検出可能なドラム回転検出器としての回転センサ１２が設けられる。なお、回転センサ１２は、駆動軸９に連動して回転するギアボックス内の伝達軸や油圧モータ１３の出力軸の回転方向及び回転数を検出するものであってもよい。
【００３０】
ミキサドラム２内には、一対のブレード３ａ，３ｂがミキサドラム２の内壁面に沿って螺旋状に配設されている。一対のブレード３ａ，３ｂがミキサドラム２とともに回転することによって、ミキサドラム２内に投入された生コンの攪拌等が行われる。
【００３１】
ミキサドラム２が車両後方から見て左回転である正回転方向に回転駆動されると、ブレード３ａ，３ｂは、ミキサドラム２内の生コンを攪拌しながらミキサドラム２の前方へと移動させる。一方、ミキサドラム２が逆回転方向に回転駆動されると、ブレード３ａ，３ｂは、生コンを攪拌しながらミキサドラム２の後方へと移動させる。このようにミキサドラム２を逆回転させることで、ミキサドラム２の開口部２ａから生コンを排出させることができる。ミキサドラム２の開口部２ａから排出された生コンは、シュート５を介して所定位置に誘導される。
【００３２】
また、ミキサ車１０は、車両位置を検出する車両位置検出器としてのＧＰＳ受信センサ１１と、ミキサ車１０で得られた情報を無線により外部へ送信する送信部１５と、をさらに備える。ＧＰＳ受信センサ１１は、グローバル・ポジショニング・システム（Global Positioning System）から現在の車両の位置情報を受信する測位センサである。送信部１５は、Ｗｉ−Ｆｉ（登録商標）等の無線ＬＡＮや第三世代移動通信（３Ｇ）等の携帯電話通信網を利用し、ＧＰＳ受信センサ１１で受信された車両の位置や回転センサ１２の検出値、圧力センサ１４の検出値等のデータを外部へ送信する送信機である。なお、車両位置検出器としては、ＧＰＳを利用するものに限定されず、他の測位システムを利用するものであってもよい。
【００３３】
次に、図２及び図３を参照し、ミキサ車１０の作業状態を判定する作業状態判定システム１００の構成について説明する。
【００３４】
作業状態判定システム１００は、上述の構成を備えた複数のミキサ車１０Ａ〜１０Ｅと、ミキサ車１０Ａ〜１０Ｅから送信されたデータを受信する車両管理センター２０と、から構成される。
【００３５】
図２に示すように、ミキサ車１０Ａ〜１０Ｅは、投入施設としてのコンクリート工場３０にてミキサドラム２内に生コンが投入されると、打設現場へと移動しミキサドラム２内の生コンを排出する。そして、生コンを排出した後、ミキサ車１０Ａ〜１０Ｅは、コンクリート工場３０へと戻る。ミキサ車１０Ａ〜１０Ｅは、これらの作業の間、常時、車両で取得された情報を車両管理センター２０へと送信する。
【００３６】
車両管理センター２０では、ミキサ車１０Ａ〜１０Ｅから送信されたデータに基づき、各ミキサ車１０Ａ〜１０Ｅがどのような作業状態にあるかが判定される。具体的には、車両管理センター２０では、ミキサ車１０Ａ〜１０Ｅがコンクリート工場３０にて生コンが投入され打設現場へ生コンを配送可能な配送状態となったか否か、打設現場で生コンを排出する打設状態であるか否か、生コンの排出が終わりコンクリート工場３０等へ戻る帰路状態であるか否か、コンクリート工場３０へ戻り待機している待機状態であるか否か、が判定される。車両管理センター２０で判定された結果は、車両管理センター２０からコンクリート工場３０へと送信される。
【００３７】
車両管理センター２０において各ミキサ車１０Ａ〜１０Ｅの作業状態を判定させるために、各ミキサ車１０Ａ〜１０Ｅは、図３に示すように、上述のＧＰＳ受信センサ１１、回転センサ１２、圧力センサ１４及び送信部１５を備える。そして、ＧＰＳ受信センサ１１で検出された車両の現在位置情報と、ミキサドラム２の回転状態を示す回転センサ１２の検出値と、ミキサドラム２の駆動力を示す圧力センサ１４の検出値と、は、送信部１５を介して車両管理センター２０へと送信される。
【００３８】
一方、車両管理センター２０は、各ミキサ車１０Ａ〜１０Ｅから送信されたデータを受信する受信部２２と、受信部２２で受信された各ミキサ車１０Ａ〜１０Ｅに関するデータに基づき各ミキサ車１０Ａ〜１０Ｅがどのような状態にあるかを判定する判定部２１と、判定部２１での判定に用いられるデータが蓄積されたデータベース２４と、判定部２１で判定された結果を外部へ送信する送信部２３と、を備える。
【００３９】
判定部２１は、ＣＰＵ（中央演算処理装置）、ＲＯＭ（リードオンリメモリ）、ＲＡＭ（ランダムアクセスメモリ）、及びＩ／Ｏインターフェース（入出力インターフェース）を備えたマイクロコンピュータで構成される。ＲＡＭはＣＰＵの処理におけるデータを記憶し、ＲＯＭはＣＰＵの制御プログラム等を予め記憶し、Ｉ／Ｏインターフェースは接続された機器との情報の入出力に使用される。なお、判定部２１は、複数のマイクロコンピュータで構成されていてもよい。
【００４０】
データベース２４には、地図データや、コンクリート工場３０の所在地データ、判定部２１において判定基準として用いられる閾値等が格納される。データベース２４内のデータは適宜更新ないし変更可能である。
【００４１】
判定部２１で判定された結果は、送信部２３を介して、各コンクリート工場３０へと送信される。図３に示すように、判定部２１で判定された結果が送信されるのは、１つのコンクリート工場３０だけでなく、複数のコンクリート工場３０であってもよい。このように判定部２１の判定結果は、複数のコンクリート工場３０に対して送信可能であるため、判定部２１は、後述のように、各ミキサ車１０Ａ〜１０Ｅが何れのコンクリート工場３０に属して作業を行っているかの判定を行い、各ミキサ車１０Ａ〜１０Ｅが属するコンクリート工場３０のみに判定結果を送信する。
【００４２】
車両管理センター２０からの情報を受け取るコンクリート工場３０には、車両管理センター２０から送信された情報を受信する受信部３１と、受信部３１で受信された情報を表示する表示部３２と、が設けられる。コンクリート工場３０の表示部３２には、コンクリート工場３０に属して作業を行うミキサ車１０Ａ〜１０Ｅの作業状態が表示される。コンクリート工場３０では、各ミキサ車１０Ａ〜１０Ｅの作業状態を把握することで、効率的に打設現場へ生コンを配送することが可能となる。なお、送信部２３から受信部３１への情報の送信は、無線で行われてもよいし電話回線等を利用した有線で行われてもよい。
【００４３】
次に、図４のフローチャートを参照して、車両管理センター２０の判定部２１によってミキサ車１０の作業状態が判定される手順について説明する。図４に示される判定手順は、判定部２１によって所定の時間毎（例えば数秒毎）に繰り返し実行される。
【００４４】
判定部２１は、ミキサ車１０から送信されたデータに基づき、ミキサ車１０が「配送状態」、「打設状態」、「帰路状態」及び「待機状態」の何れの作業状態にあるかを随時判定する。「配送状態」とは、コンクリート工場３０にてミキサドラム２内に生コンが投入され、ミキサ車１０が、打設現場へ生コンを配送可能な状態にあることを意味し、「打設状態」とは、ミキサ車１０が、打設現場で生コンを排出している状態にあることを意味し、「帰路状態」とは、ミキサ車１０が、打設現場での生コンの排出を終了し、コンクリート工場３０または駐車場へ戻る帰路にあることを意味し、「待機状態」とは、ミキサ車１０が、コンクリート工場３０で生コンの投入を待っている状態にあることを意味する。
【００４５】
まず、ステップＳ１１において、判定対象となるミキサ車１０（以下、「判定対象車両」という。）が、何れかのコンクリート工場３０にてミキサドラム２内に生コンが投入され配送状態になったか否かが判定される。
【００４６】
ここで、図５に示されるグラフを参照し、ミキサドラム２内へ生コンが投入されたか否かを判定する方法について説明する。図５には、ミキサドラム２内への生コン投入前後における圧力センサ１４により検出される作動油の圧力の時間変化とミキサドラム２の回転数の時間変化とが示されている。
【００４７】
ミキサドラム２内に生コンが投入されると、ミキサドラム２を回転駆動させるために要する駆動トルクは、ミキサドラム２内に生コンが積載されていない状態に比べて大きくなる。ミキサドラム２を回転駆動させる駆動トルクが上昇すると、油圧モータ１３に供給される作動油の圧力も上昇するため、圧力センサ１４により検出される値も、図５に示されるように、ミキサドラム２内への生コンの投入とともに上昇する。このため、所定の第１検出期間Ｔ１内における圧力センサ１４の検出油圧値の変動幅ΔＰの大きさが、予め設定された第１閾値Ｐ１以上となったときに、判定対象車両のミキサドラム２内へ生コンが投入されたと判定することが可能である。
【００４８】
ここで変動幅ΔＰは、上昇幅であり、所定の第１検出期間Ｔ１内における最大値から、最大値よりも前に検出された最小値を差し引くことにより常時算出される。また、第１閾値Ｐ１は、ミキサドラム２内に生コンが投入されたときの駆動トルクの変化が小さい場合であっても、ミキサドラム２内へ生コンが投入されたと判定されるように設定される。具体的には、生コンの投入量が少量でありスランプ値が比較的柔らかい場合、駆動トルクの変化は最も小さくなると考えられる。このため、第１閾値Ｐ１は、スランプ値が日本工業規格（ＪＩＳ）等で規定されるものであって一般的に流通する生コンの中で最も柔らかい値（例えば、２１ｃｍ）であり、投入量が一般的に取引される生コン量の最小単位量（例えば、０．５ｍ3）である場合であってもミキサドラム２内へ生コンが投入されたと判定されるように設定される。
【００４９】
一方で、ミキサドラム２を回転駆動させるために要する駆動トルクは、ミキサドラム２内へ生コンを投入する時以外に、ミキサドラム２の回転速度を比較的大きく変化させた時にも変動する。つまり、圧力センサ１４により検出される値は、ミキサドラム２内へ生コンが投入された時だけではなく、ミキサドラム２の回転速度を比較的大きく変化させた際にも変動するため、圧力センサ１４の検出油圧値の変動幅ΔＰの大きさのみに基づいて判定対象車両のミキサドラム２内へ生コンが投入されたか否かを判定すると、誤判定を招くおそれがある。
【００５０】
このため、判定部２１は、ミキサドラム２の回転速度の変化に起因する誤判定を防止するために、所定の第１検出期間Ｔ１内における回転センサ１２の検出回転数の変動幅ΔＮが、予め設定された第２閾値Ｎ１以下であることを条件として、変動幅ΔＰの大きさが第１閾値Ｐ１以上となった場合に、ミキサドラム２内へ生コンが投入されたと判定する。ここで、変動幅ΔＮは、所定の第１検出期間Ｔ１内における最大値から最小値を差し引くことにより常時算出される。これにより、判定部２１が、ミキサドラム２の回転速度の変化による駆動トルクの変化によってミキサドラム２内へ生コンが投入されたと誤判定してしまうことが防止される。なお、第２閾値Ｎ１は、ミキサドラム２内へ生コンが通常投入される際のミキサドラム２の回転速度の変動幅よりも大きい値に設定される。
【００５１】
また、配送中などに生コンが積載されたミキサドラム２を比較的ゆっくり回転させると、一対のブレード３ａ，３ｂによりミキサドラム２内の生コンが撹拌されるため、ミキサドラム２を１回転させる毎に２回の駆動トルクの変動が生じ得る。このトルク変動は、ブレード３ａ，３ｂによりミキサドラム２の内周面に沿って持ち上げられた生コンが、ミキサドラム２の内周面に沿って滑り落ちることで生じる。また、この時のトルク変動の大きさは、スランプ値が小さく、比較的固い生コンの方が大きくなる。
【００５２】
このようなトルク変動に起因する誤判定を防止するために、第１検出期間Ｔ１の長さは、撹拌時に生じるトルク変動の周期よりも短く設定される。例えば、６０秒間に２回の駆動トルクの変動があるとすると、第１検出期間Ｔ１の長さは、３０秒よりも短くすることが好ましい。一方で、第１検出期間Ｔ１の長さを短くし過ぎると、ミキサドラム２内への生コンの投入がゆっくり行われた場合のように、生コンの投入による駆動トルクの変化が遅いと駆動トルクの上昇を捉えられないおそれがある。このため、第１検出期間Ｔ１の長さは、これらを勘案して設定される。このように第１検出期間Ｔ１の長さが適正な値に設定されることで、判定部２１が、生コンの撹拌による駆動トルクの変化によってミキサドラム２内へ生コンが投入されたと誤判定してしまうことが防止される。
【００５３】
なお、判定部２１は、判定対象車両が停車している状態であること、例えば、車速センサの検出値がゼロになっていることやパーキングブレーキがオンになっていること、ＧＰＳ受信センサ１１で受信された車両位置に変化がないことが検知された場合に、ミキサドラム２内へ生コンが投入されたか否かの判定を行う。また、当然ながら、判定部２１は、ミキサドラム２が打設状態にないこと、すなわち、回転センサ１２の検出結果からミキサドラム２が車両後方から見て左回転である正回転方向に回転駆動されていると判定される場合に、ミキサドラム２内へ生コンが投入されたか否かの判定を行う。
【００５４】
上述の判定方法では、所定の第１検出期間Ｔ１内における回転センサ１２の検出回転数の変動幅ΔＮが予め設定された第２閾値Ｎ１以下であることを条件としている。このため、例えば、生コンの投入と同時にミキサドラム２の回転数を上昇させる操作が行われた場合、ミキサドラム２内へ生コンが投入されたと判定されないおそれがある。このような判定ミスを防止し、生コンの投入の有無を確実に判定するために、上述の判定方法においてミキサドラム２内へ生コンが投入されていないと判定された場合には、後述の判定方法を引き続き行うことが好ましい。なお、ミキサドラム２内への生コンの投入の有無を判定する方法としては、上述の判定方法に代えて、後述の判定方法のみが行われてもよい。
【００５５】
図６に示されるフローチャートと図７に示されるグラフとを参照し、上述の判定方法と、ミキサドラム２内へ生コンが投入されたか否かを判定する別の判定方法と、を組み合わせた判定方法について説明する。
【００５６】
図６に示されるように、ミキサドラム２内へ生コンの投入の判定が開始されると、まずステップＳ３１において、上述の判定方法によってミキサドラム２内へ生コンが投入されたか否かが判定される。具体的には、判定対象車両が停車しており、且つ、所定の第１検出期間Ｔ１内における回転センサ１２の検出回転数の変動幅ΔＮが、第２閾値Ｎ１以下であり、且つ、圧力センサ１４により検出された油圧の変動幅ΔＰの大きさが第１閾値Ｐ１以上である場合に、ミキサドラム２内へ生コンが投入されたと判定する。一方、何れか一方または両方の条件が満たされない場合、ステップＳ３２に進み、以下の判定方法によってさらにミキサドラム２内へ生コンが投入されたか否かが判定される。
【００５７】
上述の判定方法とは別の判定方法について、図７に示されるグラフを参照して説明する。図７には、ミキサドラム２内への生コン投入前後における圧力センサ１４により検出される作動油の圧力の時間変化とミキサドラム２の回転数の時間変化とが示されている。
【００５８】
ミキサドラム２内に生コンを投入する際には、ミキサドラム２に投入された生コンがミキサドラム２の前方へ移動するように、ミキサドラム２の回転数は比較的高い回転数に設定される。これに対して、生コンを投入する前と投入した後のミキサドラム２の回転数は、１ｒｐｍ程度の比較的低い回転数に設定される。
【００５９】
ここで、ミキサドラム２の回転数が比較的低い回転数に設定された状態において、ミキサドラム２を回転駆動させるために要する駆動トルクは、ミキサドラム２内に生コンが投入される前に比べて、ミキサドラム２内に生コンが投入された後の方が生コンの撹拌に要する分だけ当然に大きくなる。
【００６０】
このため、判定部２１は、ミキサドラム２が比較的低い回転数で回転していることを条件として、圧力センサ１４の検出油圧値が大きく変化した場合にミキサドラム２内へ生コンが投入されたと判定する。具体的には、図６のステップＳ３２以降に示すように、ミキサドラム２が生コン投入前の状態であることが確認された後に、ミキサドラム２が生コン投入後の状態であることが確認されると、判定部２１は、ミキサドラム２内へ生コンが投入された、すなわち、判定対象車両のミキサドラム２内へ生コンが投入されたと判定する。
【００６１】
具体的には、ステップＳ３２において、判定部２１は、まず、ミキサドラム２が生コン投入前の状態であるか否か、すなわち、所定の第２検出期間Ｔ２内における回転センサ１２の検出回転数Ｎが予め設定された第３閾値Ｎ２以下であり、且つ、第２検出期間Ｔ２内における圧力センサ１４の検出圧力Ｐが予め設定された第４閾値Ｐ２以下となっているか否かが判定される。
【００６２】
ステップＳ３２においてミキサドラム２が生コン投入前の状態であると判定されると、ステップＳ３３に進み、判定部２１は、ミキサドラム２が生コン投入後の状態であるか否か、すなわち、所定の第３検出期間Ｔ３内における回転センサ１２の検出回転数が予め設定された第３閾値Ｎ２以下であり、且つ、第３検出期間Ｔ３内における圧力センサ１４の検出油圧値が第４閾値Ｐ２よりも大きい予め設定された第５閾値Ｐ３以上となっているか否かが判定される。
【００６３】
ステップＳ３３において、両方の条件が満たされると、判定部２１は、ミキサドラム２内へ生コンが投入されたと判定する。一方、ステップＳ３２またはステップＳ３３において、何れか一方または両方の条件が満たされない場合、判定部２１は、ミキサドラム２内へ生コンが投入されていないと判定する。
【００６４】
なお、第３閾値Ｎ２は、ミキサドラム２内に生コンを投入しているときのミキサドラム２の回転数より明らかに低い回転数であり、具体的には１．５ｒｐｍ程度に設定される。また、第４閾値Ｐ２は、ミキサドラム２が生コン投入前の状態において第３閾値Ｎ２以下の回転でミキサドラム２が回転しているときに油圧モータ１３に供給される作動油の圧力をある程度上回る大きさであり、具体的な大きさは適宜設定される。第５閾値Ｐ３は、ミキサドラム２が生コン投入後の状態において第３閾値Ｎ２以下の回転でミキサドラム２が回転しているときに油圧モータ１３に供給される作動油の圧力をある程度下回る大きさであって、第４閾値Ｐ２よりも大きい値であり、具体的な大きさは適宜設定される。
【００６５】
このように、判定部２１は、ミキサドラム２に生コンが投入される前後において生じる油圧モータ１３に供給される作動油の圧力の変化から生コンの投入の有無を判定することで、生コンの投入と同時にミキサドラム２の回転数を上昇させる操作が行われた場合であっても生コンの投入の有無を確実に判定することが可能である。
【００６６】
ステップＳ１１において、判定対象車両のミキサドラム２内へ生コンが投入されたと判定された場合には、ステップＳ１２に進み、生コンが投入されたと判定されなかった場合には、ステップＳ１１において再び判定が行われる。ステップＳ１１における判定は、判定対象車両のミキサドラム２内へ生コンが投入されたと判定されるまで継続される。
【００６７】
ステップＳ１２では、判定対象車両のＧＰＳ受信センサ１１で受信された車両位置情報が取り込まれる。そして、現在の車両位置情報から判定対象車両に生コンを投入した投入施設としてのコンクリート工場３０が特定される。なお、ステップＳ１１において、判定対象車両が停車しているか否かが、ＧＰＳ受信センサ１１で受信された車両位置に基づいて判定された場合には、停車判定が行われる際に取り込まれた車両位置情報から判定対象車両に生コンを投入したコンクリート工場３０が特定されてもよい。
【００６８】
続くステップＳ１３では、判定対象車両に生コンを投入しているコンクリート工場３０へ判定対象車両が「配送状態」であることが送信される。これにより、コンクリート工場３０では、判定対象車両が自工場に属して作業を行う車両であることが認識されるとともに、判定対象車両のミキサドラム２内に生コンが投入され、打設現場へ生コンを配送可能な「配送状態」にあることを確認することができる。これ以降、判定対象車両の作業状態は、別のコンクリート工場３０で判定対象車両に生コンが投入されない限り、このコンクリート工場３０にのみ送信される。なお、判定対象車両に生コンを投入したコンクリート工場３０に判定対象車両の作業状態を送信することに代えて、判定対象車両の作業状態へのアクセス権限を当該コンクリート工場３０に持たせるようにしてもよい。
【００６９】
次にステップＳ１４では、判定対象車両が、打設現場で生コンを排出している「打設状態」にあるか否かが判定される。具体的には、判定部２１は、判定対象車両から送信される回転センサ１２の検出結果からミキサドラム２が車両後方から見て右回転である逆回転方向に回転駆動されていると検知されると、判定対象車両が生コンを排出していると判定する。なお、ノイズ等によって瞬間的に回転センサ１２の検出値が、ミキサドラム２が逆回転方向に回転駆動されているかのような値を示す場合にも生コンを排出していると判定されることを避けるため、所定の時間、例えば３秒以上継続してミキサドラム２が逆回転方向に回転駆動されていると検知された場合にのみ生コンを排出していると判定することが好ましい。
【００７０】
ステップＳ１４において、判定対象車両のミキサドラム２から生コンが排出されたと判定された場合には、ステップＳ１５に進み、生コンが排出されたと判定されなかった場合には、ステップＳ１４において再び判定が行われる。ステップＳ１４における判定は、判定対象車両のミキサドラム２から生コンが排出されたと判定されるまで継続される。
【００７１】
ステップＳ１５では、判定対象車両のＧＰＳ受信センサ１１で受信された車両位置情報が取り込まれる。そして、続くステップＳ１６では、判定対象車両に生コンを投入したコンクリート工場３０へ判定対象車両が「打設状態」であるという作業状態が送信されるとともに、判定対象車両のＧＰＳ受信センサ１１で受信された車両位置情報が送信される。これにより、コンクリート工場３０では、判定対象車両が何れの打設現場において現在「打設状態」であるかを容易に確認することができる。また、例えば、判定対象車両の位置を地図上に表示させることによって、判定対象車両が排出作業を行っている打設現場の位置を容易に把握することができる。
【００７２】
次に、ステップＳ１７では、「打設状態」と判定された車両の作業状態が、「帰路状態」に移行したか否かが判定される。具体的には、判定対象車両のＧＰＳ受信センサ１１で受信された車両位置情報が、判定対象車両から車両管理センター２０に送信され、車両管理センター２０の判定部２１において、判定対象車両の現在の車両位置が車両位置情報に基づいて判定される。そして、判定部２１では、判定対象車両の現在の車両位置が、「打設状態」と判定されたときに取り込まれた車両位置、すなわち、打設現場の位置からどの程度離れたかが算出される。そして、算出された車両の移動距離が所定の距離Ｄ２（例えば、２００ｍ）以上離れた場合、判定部２１は、車両が打設現場を離れたと判定し、ステップＳ１８へと進む。
【００７３】
一方、車両の移動距離が所定の距離Ｄ２未満である場合には、判定部２１は、車両がまだ生コンを排出中であるか、生コンの排出が完了した後も打設現場に留まり車両の洗浄等を行っていると判定し、車両の作業状態を「打設状態」に維持する。ステップＳ１７における判定は、判定対象車両が打設現場から離れたと判定されるまで継続される。
【００７４】
ステップＳ１８では、判定対象車両に生コンを投入したコンクリート工場３０へ判定対象車両が「帰路状態」であることが送信される。これにより、コンクリート工場３０では、判定対象車両が、現在「帰路状態」であることが認識される。なお、この場合、判定対象車両のＧＰＳ受信センサ１１で受信された車両位置情報もコンクリート工場３０へ送信し、判定対象車両の走行軌跡を地図上に表示させてもよい。また、コンクリート工場３０への帰路における渋滞情報を基にコンクリート工場３０への到着予測時間を表示してもよい。
【００７５】
続く、ステップＳ１９では、「帰路状態」と判定された車両の作業状態が、「待機状態」に移行したか否かが判定される。具体的には、判定部２１では、判定対象車両のＧＰＳ受信センサ１１で受信された車両位置情報から判定される現在の車両位置が、「配送状態」と判定されたときに取り込まれた車両位置、すなわち、判定対象車両に生コンを投入したコンクリート工場３０の位置にどの程度近づいたかが算出される。そして、算出された車両とコンクリート工場３０との間の距離が所定の距離Ｄ３（例えば、２００ｍ）以内となった場合、判定部２１は、車両がコンクリート工場３０に到着したと判定し、ステップＳ２０へと進む。
【００７６】
一方、車両とコンクリート工場３０との間の距離が所定の距離Ｄ３より離れている場合には、判定部２１は、車両がまだ帰路にあると判定し、車両の作業状態を「帰路状態」に維持する。ステップＳ１９における判定は、判定対象車両がコンクリート工場３０に到着したと判定されるまで継続される。
【００７７】
ステップＳ２０では、判定対象車両に生コンを投入したコンクリート工場３０へ判定対象車両が「待機状態」であることが送信される。これにより、コンクリート工場３０では、判定対象車両が、コンクリート工場３０内において、現在「待機状態」、すなわち、生コンを積載可能な状態にあることが認識される。
【００７８】
ステップＳ２０での処理が終了すると判定部２１は、判定対象車両の作業状態の判定を一端終了する。
【００７９】
このように、判定部２１では、運転手による状態スイッチ等の操作に基づくことなく、各ミキサ車１０から送信される情報のみに基づき、各ミキサ車１０がどのような作業状態にあるかが常に正確に判定され、更新される。
【００８０】
なお、例えば判定対象車両が「帰路状態」であるときに、別のコンクリート工場３０において判定対象車両に生コンが投入されたことが判定されると、それまで判定対象車両の作業状態が送信されていたコンクリート工場３０への送信リストから当該車両が除外され、それ以降は、別のコンクリート工場３０に判定対象車両の作業状態の送信が行われることとなる。つまり、各コンクリート工場３０では、庸車のように一時的にコンクリート工場３０に属して作業を行う車両の作業状態について、運転手からの報告を受けずとも適切に管理することができる。
【００８１】
以上の実施形態によれば、以下に示す効果を奏する。
【００８２】
作業状態判定システム１００では、コンクリート工場３０にてミキサドラム２内に生コンが投入され、ミキサ車１０が、打設現場へ生コンを配送可能な配送状態になったか否かの判定が、ミキサ車１０が停車している状態において、ミキサドラム２の回転数と、ミキサドラム２を回転駆動させる駆動力と、に基づいて行われる。このように、ミキサドラム２の重量のように車両の振動によって変動する値ではなく、車両の振動等の影響を受けにくい駆動力が判定に用いられるため、ミキサ車１０に生コンが投入されたか否かを正確に判定することができる。
【００８３】
また、作業状態判定システム１００では、ＧＰＳ受信センサ１１、回転センサ１２及び圧力センサ１４の検出結果に基づいて、ミキサ車１０が、生コンを配送可能な配送状態にあるか否か、及び、ミキサドラム２から生コンを排出する打設状態にあるか否かが判定される。このように、作業状態判定システム１００では、運転手によって操作される状態スイッチ等の出力を参照せずとも、ミキサ車１０が一連の作業のうちのどの作業状態にあるかを正確に判定することができる。
【００８４】
また、作業状態判定システム１００では、ミキサ車１０の作業状態が、ミキサ車１０に生コンを投入したコンクリート工場３０にのみ送信される。このため、ミキサ車１０が、一時的にコンクリート工場３０に属して作業を行うような車両であっても、コンクリート工場３０では、車両及び車両に積載された生コンの状態を、運転手からの報告を受けずとも適切に管理することができる。また、車両及び車両に積載された生コンの情報が、運転手を介することなく、コンクリート工場３０において一括管理されるため、情報セキュリティを向上させることができる。
【００８５】
次に、上記実施形態の変形例について説明する。
【００８６】
上記実施形態では、ミキサ車１０の作業状態は、車両管理センター２０に設けられた判定部２１によって判定される。これに代えて、各ミキサ車１０に判定部２１を設け、ミキサ車１０自体において作業状態を判定し、判定された作業状態を車両管理センター２０またはコンクリート工場３０に送信する構成としてもよい。
【００８７】
また、上記実施形態では、ミキサ車１０の作業状態は、コンクリート工場３０にのみ送信される。これに代えて、ミキサ車１０の運転席にも判定された作業状態を表示してもよい。このように運転手に作業状態を認識させることで、運転手によって操作される状態スイッチ等がある場合は、その操作忘れを防止することができる。
【００８８】
また、上記実施形態では、ミキサ車１０が、「配送状態」、「打設状態」、「帰路状態」及び「待機状態」の何れの作業状態にあるかが判定される。作業状態としては、これらに限定されず、ミキサドラム２を洗浄している状態である「洗浄中」や生コンを排出する前に混練している状態である「混練中」、休憩等のために停車している状態である「停車中」などが判定されてもよい。例えば「洗浄中」は、洗浄のために比較的短い周期でミキサドラム２を正転と逆転とを繰り返した場合に判定され、「混練中」は、ミキサドラム２を正転方向に一時的に高速回転した場合に判定され、「停車中」は、比較的長時間にわたってパーキングブレーキがオンに維持された場合に判定される。
【００８９】
また、上記実施形態では、「配送状態」と判定されてから「打設状態」と判定されるまでの間、車両の状態は判定されないが、例えば、図４のステップ１３とステップ１４との間において、「配送状態」と判定された車両の作業状態が、打設現場へ移動する「移動状態」に移行したか否かが判定されてもよい。
【００９０】
具体的には、「配送状態」と判定された判定対象車両のＧＰＳ受信センサ１１で受信された車両位置情報が、判定対象車両から車両管理センター２０へと随時送信され、車両管理センター２０の判定部２１において、判定対象車両の現在の車両位置が、「配送状態」と判定されたときに取り込まれた車両位置、すなわち、判定対象車両に生コンを投入したコンクリート工場３０の位置からどの程度離れたかが算出される。
【００９１】
そして、算出された車両の移動距離が所定の距離Ｄ１（例えば、２００ｍ）以上離れた場合、判定部２１は、車両が打設現場へ向かっていると判定し、車両の移動距離が所定の距離Ｄ１未満である場合には、車両がまだ生コンを投入中であるか、生コンの投入が完了した後もコンクリート工場３０内に留まっていると判定する。なお、この場合、判定対象車両のＧＰＳ受信センサ１１で受信された車両位置情報をコンクリート工場３０へ送信し、判定対象車両の位置を地図上に表示させてもよい。また、コンクリート工場３０から打設現場へ向かう道路の渋滞情報を基に打設現場への到着予測時間を表示してもよい。
【００９２】
以下、本発明の実施形態の構成、作用、及び効果をまとめて説明する。
【００９３】
作業状態判定システム１００は、ミキサ車１０のミキサドラム２の回転状態を検出する回転センサ１２と、ミキサ車１０のミキサドラム２を回転駆動させる駆動力を検出する圧力センサ１４と、回転センサ１２及び圧力センサ１４の検出結果に基づいて、ミキサ車１０の作業状態を判定する判定部２１と、を備え、判定部２１は、ミキサ車１０が停車している状態において、所定の検出期間内における回転センサ１２の検出値及び圧力センサ１４の検出値に基づいて、ミキサドラム２内に生コンが投入されミキサ車１０が配送状態になったか否かを判定する。
【００９４】
この構成では、ミキサ車１０が配送状態になったか否かの判定が、ミキサドラム２の回転数と、ミキサドラム２を回転駆動させる駆動力と、に基づいて行われる。このように、ミキサドラム２の重量のように車両の振動によって変動する値ではなく、車両の振動等の影響を受けにくい駆動力が判定に用いられるため、ミキサ車１０が配送状態になったか否かを正確に判定することができる。
【００９５】
また、判定部２１は、所定の第１検出期間Ｔ１内における圧力センサ１４の検出値の変動幅ΔＰが予め設定された第１閾値Ｐ１以上であり、且つ、第１検出期間Ｔ１内における回転センサ１２の検出値の変動幅ΔＮが予め設定された第２閾値Ｎ１以下であることが検出されたとき、ミキサドラム２内に生コンが投入されミキサ車１０が配送状態になったと判定する。
【００９６】
この構成では、ミキサ車１０が配送状態になったか否かの判定が、ミキサドラム２の回転数の変動が小さいときのみ行われる。このように、ミキサドラム２の回転数が変動しミキサドラム２を回転駆動させる駆動力が変動する可能性がある場合には、判定が行われない。このため、ミキサドラム２の回転数が変動した際にミキサ車１０が配送状態になったと誤判定されることが防止される。この結果、ミキサ車１０が配送状態になったか否かを正確に判定することができる。
【００９７】
また、作業状態判定システム１００は、車両位置を検出するＧＰＳ受信センサ１１をさらに備え、判定部２１は、回転センサ１２により検出されるミキサドラム２の回転方向が正回転から逆回転に変化したとき、ミキサ車１０が打設状態にあると判定し、ＧＰＳ受信センサ１１により検出されるミキサ車１０の検出位置が、打設状態と判定したときにＧＰＳ受信センサ１１により検出された検出位置から、予め設定された所定の距離Ｄ２以上離れた場合にミキサ車１０が帰路状態にあると判定する。
【００９８】
この構成では、ミキサドラム２の回転方向に基づいて、ミキサ車１０が打設状態にあるか否かが判定され、その後、車両の位置の変化に基づいて、ミキサ車１０が帰路状態にあるか否かが判定される。このため、運転手が状態スイッチ等の操作を忘れてしまっても、ミキサ車１０が打設状態または帰路状態にあるかを正確に判定することができる。
【００９９】
また、判定部２１は、ミキサ車１０が帰路状態にあると判定した後、ＧＰＳ受信センサ１１により検出されるミキサ車１０の検出位置が、配送状態になったと判定したときにＧＰＳ受信センサ１１により検出された検出位置に対して、予め設定された所定の距離Ｄ３以内となった場合に待機状態にあると判定する。
【０１００】
この構成では、車両の位置の変化に基づいて、ミキサ車１０が待機状態にあるか否かが判定される。このため、運転手が状態スイッチ等の操作を忘れてしまっても、ミキサ車１０が待機状態にあるか否かを正確に判定することができる。
【０１０１】
また、作業状態判定システム１００は、車両位置を検出するＧＰＳ受信センサ１１をさらに備え、判定部２１は、配送状態になったと判定したときにＧＰＳ受信センサ１１により検出された検出位置からミキサ車１０に生コンを投入したコンクリート工場３０を特定し、このコンクリート工場３０にのみミキサ車１０の作業状態を送信する。
【０１０２】
この構成では、ミキサ車１０の作業状態が、ミキサ車１０に生コンを投入したコンクリート工場３０にのみ送信される。このため、ミキサ車１０が、一時的にコンクリート工場３０に属して作業を行うような車両であっても、コンクリート工場３０では、車両及び車両に積載された生コンの状態を、運転手からの報告を受けずとも適切に管理することができる。また、車両及び車両に積載された生コンの情報が、運転手を介することなく、コンクリート工場３０において一括管理されるため、情報セキュリティを向上させることができる。
【０１０３】
また、ミキサ車１０は、ミキサドラム２を回転駆動させる油圧モータ１３を有し、駆動力検出器は、油圧モータ１３に供給される作動油の圧力を検出する圧力センサ１４である。
【０１０４】
この構成では、ミキサドラム２を回転駆動させる駆動力を検出するセンサとして、油圧モータ１３に供給される作動油の圧力を検出する圧力センサ１４が用いられる。このように、油圧モータ１３に供給される作動油の圧力を検出する圧力センサ１４を設けることによってミキサドラム２を回転駆動させる駆動力に相当する値を容易に検出することができる。
【０１０５】
また、作業状態判定システム１００は、ミキサ車１０のミキサドラム２の回転状態を検出する回転センサ１２と、ミキサ車１０のミキサドラム２を回転駆動させる駆動力を検出する圧力センサ１４と、回転センサ１２及び圧力センサ１４の検出結果に基づいて、ミキサ車１０の作業状態を判定する判定部２１と、を備え、判定部２１は、ミキサ車１０が停車している状態において、所定の第２検出期間Ｔ２内における回転センサ１２の検出値が予め設定された第３閾値Ｎ２以下であり、且つ、第２検出期間Ｔ２内における圧力センサ１４の検出値が予め設定された第４閾値Ｐ２以下であることが検出された後、所定の第３検出期間Ｔ３内における回転センサ１２の検出値が予め設定された第３閾値Ｎ２以下であり、且つ、第３検出期間Ｔ３内における圧力センサ１４の検出値が予め設定された第５閾値Ｐ３以上であることが検出されたとき、ミキサドラム２内に生コンが投入されミキサ車１０が配送状態になったと判定する。
【０１０６】
この構成では、ミキサ車１０が配送状態になったか否かの判定が、ミキサドラム２の回転数と、ミキサドラム２を回転駆動させる駆動力と、に基づいて行われる。このように、ミキサドラム２の重量のように車両の振動によって変動する値ではなく、車両の振動等の影響を受けにくい駆動力が判定に用いられるため、ミキサ車１０が配送状態になったか否かを正確に判定することができる。また、この構成では、ミキサ車１０が配送状態になったか否かの判定が、ミキサドラム２内に生コンが投入される前後において生じるミキサドラム２を回転駆動させる駆動力の変化に基づいて行われる。このため、ミキサドラム２内に生コンを投入する際にミキサドラム２の回転数が変動したとしても、ミキサ車１０が配送状態になったか否かを正確に判定することができる。
【０１０７】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【０１０８】
１００・・・作業状態判定システム、１０，１０Ａ〜１０Ｅ・・・ミキサ車、２・・・ミキサドラム（ドラム）、１１・・・ＧＰＳ受信センサ（車両位置検出器）、１２・・・回転センサ（ドラム回転検出器）、１３・・・油圧モータ（液圧モータ）、１４・・・圧力センサ（駆動力検出器）、２０・・・車両管理センター、２１・・・判定部、３０・・・コンクリート工場（投入施設）
【図１】
2019155983.tif 000003
【図２】
2019155983.tif 000004
【図３】
2019155983.tif 000005
【図４】
2019155983.tif 000006
【図５】
2019155983.tif 000007
【図６】
2019155983.tif 000008
【図７】
2019155983.tif 000009